(57)【要約】【課題】積層体の端面を十分に保護し、ＩＣタグ本体を保護することができる積層型ＩＣタグとその製造方法を提供する。【解決手段】積層型ＩＣタグ１０は、家畜の管理用のタグであり、ＩＣタグ本体１１と、ＩＣタグ本体１１を表裏から挟み込み、ＩＣタグ本体１１を内部に収納する積層体１２と、積層体１２の端面１２ｃに設けられ、液体や気体の浸透を防ぐ目止め部１３とを備える。また、目止め部１３は、樹脂やワックスで形成されている。さらに、この積層型ＩＣタグ１０は、中心に貫通孔１４を有する円環状の形状である。【選択図】図１
2009064381.tif 000002
【特許請求の範囲】
【請求項１】
ＩＣタグ本体と、
前記ＩＣタグ本体を表裏から挟み込み、前記ＩＣタグ本体を内部に収納する積層体と、
前記積層体の端面に設けられ、液体及び／又は気体の浸透を防ぐ目止め部と、
を備える積層型ＩＣタグ。
【請求項２】
請求項１に記載の積層型ＩＣタグにおいて、
前記目止め部は、樹脂及び／又はワックスで形成されていること、
を特徴とする積層型ＩＣタグ。
【請求項３】
請求項２に記載の積層型ＩＣタグにおいて、
前記樹脂は、溶剤乾燥型の樹脂、２液硬化型の樹脂、熱硬化型の樹脂、紫外線硬化型の樹脂のうち少なくとも１つを含む樹脂であること、
を特徴とする積層型ＩＣタグ。
【請求項４】
請求項１に記載の積層型ＩＣタグにおいて、
前記積層体は、多孔質材料で形成されていること、
を特徴とする積層型ＩＣタグ。
【請求項５】
請求項４に記載の積層型ＩＣタグにおいて、
前記多孔質材料は、樹脂、グラスファイバー、繊維強化プラスチックのうち少なくとも１つを含む材料であること、
を特徴とする積層型ＩＣタグ。
【請求項６】
請求項４又は請求項５に記載の積層型ＩＣタグにおいて、
前記積層体は、その表面及び／又は裏面がコーティングされていること、
を特徴とする積層型ＩＣタグ。
【請求項７】
請求項１から請求項６までのいずれか１項に記載の積層型ＩＣタグにおいて、
この積層型ＩＣタグは、中央に貫通孔を有する円環形状であること、
を特徴とする積層型ＩＣタグ。
【請求項８】
請求項２に記載の積層型ＩＣタグを製造する積層型ＩＣタグの製造方法であって、
前記樹脂及び／又はワックスを、ドブ付け、スプレー噴射、刷毛塗りのいずれかの方法で塗工して前記目止め部を形成する工程を備えること、
を特徴とする積層型ＩＣタグの製造方法。
【発明の詳細な説明】
【技術分野】
【０００１】
本発明は、積層型ＩＣタグとその製造方法に関するものである。
【背景技術】
【０００２】
従来、この種の積層型ＩＣタグは、過酷な状況で使用される場合がある。このような場合に、ＩＣタグを保護するため、樹脂などで覆うことがあるが、射出成型の型の作製費用などがかかり、初期コストが高価である（例えば、特許文献１）。
そこで、樹脂、グラスファイバー、繊維強化プラスチック（ＦＲＰ）のシートや板を積層して、ＩＣタグを保護することがある。この際、抜き型やカッター加工などが必要となるが、これらは、低コストで対応可能である。
しかし、積層体の端面は、封止が不十分であり、液体やガスが浸透し、ＩＣタグの金属部分を腐食させる恐れがあった。
【特許文献１】特開２００６−３０４７６８号公報
【発明の開示】
【発明が解決しようとする課題】
【０００３】
本発明の課題は、積層体の端面を十分に保護し、ＩＣタグ本体を保護することができる積層型ＩＣタグとその製造方法を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、ＩＣタグ本体（１１）と、前記ＩＣタグ本体（１１）を表裏から挟み込み、前記ＩＣタグ本体（１１）を内部に収納する積層体（１２）と、前記積層体（１２）の端面（１２ｃ）に設けられ、液体及び／又は気体の浸透を防ぐ目止め部（１３）と、を備える積層型ＩＣタグ（１０）である。
請求項２の発明は、請求項１に記載の積層型ＩＣタグ（１０）において、前記目止め部（１３）は、樹脂及び／又はワックスで形成されていること、を特徴とする積層型ＩＣタグ（１０）である。
請求項３の発明は、請求項２に記載の積層型ＩＣタグ（１０）において、前記樹脂は、溶剤乾燥型の樹脂、２液硬化型の樹脂、熱硬化型の樹脂、紫外線硬化型の樹脂のうち少なくとも１つを含む樹脂であること、を特徴とする積層型ＩＣタグ（１０）である。
請求項４の発明は、請求項１に記載の積層型ＩＣタグ（１０）において、前記積層体（１２）は、多孔質材料で形成されていること、を特徴とする積層型ＩＣタグ（１０）である。
請求項５の発明は、請求項４に記載の積層型ＩＣタグ（１０）において、前記多孔質材料は、樹脂、グラスファイバー、繊維強化プラスチックのうち少なくとも１つを含む材料であること、を特徴とする積層型ＩＣタグ（１０）である。
請求項６の発明は、請求項４又は請求項５に記載の積層型ＩＣタグ（１０）において、前記積層体（１２）は、その表面（１２ａ，１２ｂ）及び／又は裏面がコーティングされていること、を特徴とする積層型ＩＣタグ（１０）である。
請求項７の発明は、請求項１から請求項６までのいずれか１項に記載の積層型ＩＣタグ（１０）において、この積層型ＩＣタグ（１０）は、中央に貫通孔（１４）を有する円環形状であること、を特徴とする積層型ＩＣタグ（１０）である。
請求項８の発明は、請求項２に記載の積層型ＩＣタグ（１０）を製造する積層型ＩＣタグの製造方法であって、前記樹脂及び／又はワックスを、ドブ付け、スプレー噴射、刷毛塗りのいずれかの方法で塗工して前記目止め部（１３）を形成する工程を備えること、を特徴とする積層型ＩＣタグの製造方法である。
【発明の効果】
【０００５】
本発明によれば、以下のような効果がある。
（１）積層体の端面に、液体及び／又は気体の浸透を防ぐ目止め部を設けているので、積層体の端面を十分に保護し、ＩＣタグ本体を保護することができる。
（２）目止め部は、樹脂及び／又はワックスで形成されているので、簡単な構成で目止めを実現することができる。
【０００６】
（３）樹脂は、溶剤乾燥型の樹脂、２液硬化型の樹脂、熱硬化型の樹脂、紫外線硬化型の樹脂のうち少なくとも１つを含む樹脂であるので、目止め部を製造しやすい。
（４）積層体は、多孔質材料で形成されているので、軽量化を図ることができる。
【０００７】
（５）積層体は、その表面及び／又は裏面がコーティングされているので、積層体の表裏面が保護され、積層体の端面のみを目止めすればよくなる。
（６）多孔質材料は、樹脂、グラスファイバー、繊維強化プラスチックのうち少なくとも１つを含む材料であるので、低コストでＩＣタグ本体を保護することができる。
【０００８】
（７）積層型ＩＣタグは、中央に貫通孔を有する円環形状であるので、目止め部によって貫通孔側から浸透する液体及び／又は気体も防ぐことができる。
（８）樹脂及び／又はワックスを、ドブ付け、スプレー噴射、刷毛塗りのいずれかの方法で塗工して目止め部を形成する工程を備えるので、簡単な工程で形成することができる。
【発明を実施するための最良の形態】
【０００９】
以下、図面等を参照して、本発明の実施形態について、さらに詳しく説明する。
（第１実施形態）
図１は、本発明による積層型ＩＣタグの第１実施形態を示す図であって、図１（Ａ）は、積層型ＩＣタグの主要部分の分解斜視図であり、図１（Ｂ）は、積層後の断面図であり、図１（Ｃ）は、目止め部を形成した図である。
本実施形態の積層型ＩＣタグ１０は、家畜（豚や牛）の管理用のタグを例にしたものであり、ＩＣタグ本体１１と、積層体１２と、目止め部１３などとを備える。
また、この積層型ＩＣタグ１０は、中心に貫通孔１４を有する円環状の形状である。
【００１０】
ＩＣタグ本体１１は、リーダライタなどの外部装置と非接触で通信を行う非接触型のＩＣタグであり、非接触通信のインターフェースとなるアンテナ１１ａと、ＣＰＵやメモリなどを備えるＩＣチップ１１ｂとを備える。
【００１１】
積層体１２は、ＩＣタグ本体１１を表裏から挟み込み、ＩＣタグ本体１１を内部に収納する部材である。２つの積層体１２同士は、接着、粘着、融着、ボルトナット固定、ビス固定の少なくとも１つを含む方法で固定されている。
積層体１２は、多孔質材料で形成されており、その表面１２ａ，１２ｂがコーティングされている。
多孔質材料としては、樹脂、グラスファイバー、繊維強化プラスチックのうち少なくとも１つを含む材料が使用される。
【００１２】
目止め部１３は、積層体１２の端面１２ｃに設けられ、液体や気体などの浸透を防ぐ部分である。ここで、端面とは、積層体１２の側面のことでもあり、２つの積層体１２の境界線上に存在する面をいう。
目止め部１３は、樹脂やワックスで形成されている。樹脂は、例えば、溶剤乾燥型の樹脂、２液硬化型の樹脂、熱硬化型の樹脂、紫外線硬化型の樹脂のうち少なくとも１つを含む樹脂である。溶剤乾燥型の樹脂は、溶剤に溶解されており、施工後の乾燥で溶剤を除去することで、硬化するものである。ワックスは、例えば、パラフィン、モンタン、ウール、ポリエチレン、フッ素樹脂、ポリプロピレン、蝋などである。
【００１３】
そして、この積層型ＩＣタグ１０を製造する場合には、まず、図１（Ａ）に示すように、２つの積層体１２でＩＣタグ本体１１を挟み込んで封止し、抜き型やカッター加工などで所望の形状に断裁・型抜し、図１（Ｂ）に示すような積層物を製造する。
ついで、図１（Ｃ）に示すように、断裁・型抜後の積層体１２の端面１２ｃに、目止め部１３の元となる樹脂やワックスを、ドブ付け、スプレー噴射、刷毛塗りのいずれかの方法で含浸、塗工、塗布することにより形成する。
【００１４】
また、この積層型ＩＣタグ１０を使用する場合には、貫通孔１４に紐を通して、家畜の耳に積層型ＩＣタグ１０をしばりつける。
しばりつけた積層型ＩＣタグ１０に、リーダライタなどで個体情報を書き込み、家畜の出生情報や成長の経過情報などを書き込んで管理する。
【００１５】
このように、本実施形態によれば、以下のような効果がある。
（１）積層体１２の端面１２ｃに、液体や気体の浸透を防ぐ目止め部１３を設けているので、積層体１２の端面１２ｃを十分に保護し、ＩＣタグ本体１１を保護することができる。特に、家畜の排せつ物に含まれるアンモニアなどからＩＣタグ本体１１を効率よく保護することができる。
（２）目止め部１３は、樹脂やワックスで形成されているので、簡単な構成で目止めを実現することができる。
【００１６】
（３）目止め部１３用の樹脂は、溶剤乾燥型の樹脂、２液硬化型の樹脂、熱硬化型の樹脂、紫外線硬化型の樹脂のうち少なくとも１つを含む樹脂であるので、目止め部１３を製造しやすい。
（４）積層体１２は、多孔質材料で形成されているので、軽量化を図ることができる。
【００１７】
（５）積層体１２は、その表面１２ａ，１２ｂがコーティングされているので、積層体１２の表面が保護され、積層体１２の端面１２ｃのみを目止めすればよくなる。
（６）多孔質材料は、樹脂、グラスファイバー、繊維強化プラスチックのうち少なくとも１つを含む材料であるので、低コストでＩＣタグ本体１１を保護することができる。
【００１８】
（７）積層型ＩＣタグ１０は、中央に貫通孔１４を有する円環形状であるので、目止め部１３によって、貫通孔１４側から浸透する液体や気体も防ぐことができる。
（８）目止め部１３用の樹脂やワックスを、ドブ付け、スプレー噴射、刷毛塗りのいずれかの方法で形成する工程を備えるので、簡単な工程で形成することができる。
【００１９】
（第２実施形態）
図２は、本発明による積層型ＩＣタグの第２実施形態を示す図である。
なお、前述した第１実施形態と同様な機能を果たす部分には、同一の符号又は末尾に統一した符号を付して、重複する説明や図面を適宜省略する。
第２実施形態の積層型ＩＣタグ１０−２は、第１実施形態のものとは異なり、運送の管理用のタグを例にしたものであり、その形状が矩形のものである。
このように、第２実施形態によれば、矩形の形状にすることによって、運送用の管理用のタグとして好適に利用できる、という効果がある。
【００２０】
（変形形態）
以上説明した実施形態に限定されることなく、種々の変形や変更が可能であって、それらも本発明の範囲内である。
（１）積層型ＩＣタグは、家畜管理用や運送管理用の例で説明したが、工場工程管理、流通分野などで利用してもよい。また、商品としては、リユース（再利用）用ＩＣタグ、高強度ＩＣタグ、動物管理用ＩＣタグなどとして利用してもよい。
（２）積層体１２は、ＩＣタグ本体１１を表裏１つずつの部材で挟み込む例で説明したが、２つ以上の部材で挟み込んでもよい。
【００２１】
（３）１つの積層体１２を折りたたんで、ＩＣタグ本体１１を挟み込んでもよい。
（４）積層体１２のコーティングは、積層体１２の表面１２ａ，１２ｂに施す例で説明したが、積層体１２の裏面（内側の面）に施してもよい。
【図面の簡単な説明】
【００２２】
【図１】本発明による積層型ＩＣタグの第１実施形態を示す図である。
【図２】本発明による積層型ＩＣタグの第２実施形態を示す図である。
【符号の説明】
【００２３】
１０，１０−２  積層型ＩＣタグ
１１  ＩＣタグ本体
１１ａ  アンテナ
１１ｂ  ＩＣチップ
１２  積層体
１２ａ，１２ｂ  表面
１２ｃ  端面
１３  目止め部
１４  貫通孔
【図１】
2009064381.tif 000003
【図２】
2009064381.tif 000004